(57)【要約】【課題】酸化物ナノ粒子の分散性に優れ、塗工することによって優れたナノ構造を形成することが可能な薄膜太陽電池に用いられる酸化物ナノ粒子分散液、及び薄膜太陽電池の製造方法を提供する。【解決手段】薄膜太陽電池の電子輸送層を形成するために用いられる酸化物ナノ粒子分散液であって、酸化物ナノ粒子と、多価アルコールと、を含むことを特徴とする酸化物ナノ粒子分散液。【選択図】なし【特許請求の範囲】
【請求項１】
薄膜太陽電池の電子輸送層を形成するために用いられる酸化物ナノ粒子分散液であって、酸化物ナノ粒子と、多価アルコールと、を含むことを特徴とする酸化物ナノ粒子分散液。
【請求項２】
多価アルコールの炭素数が４以上であることを特徴とする請求項１に記載の酸化物ナノ粒子分散液。
【請求項３】
多価アルコールの炭素数が１０未満であることを特徴とする請求項１又は２に記載の酸化物ナノ粒子分散液。
【請求項４】
多価アルコールがジオールであることを特徴とする請求項１、２又は３に記載の酸化物ナノ粒子分散液。
【請求項５】
請求項１、２、３又は４に記載の酸化物ナノ粒子分散液を基板又は薄膜上に塗布する工程と、前記基板又は薄膜上に塗布した酸化物ナノ粒子分散液を焼成して、酸化物層を形成する工程と、前記酸化物層表面に光電変換層を形成する工程と、を含むことを特徴とする薄膜太陽電池の製造方法。
【請求項６】
光電変換層は、無機半導体及び有機半導体を含むことを特徴とする請求項５に記載の薄膜太陽電池の製造方法。
【請求項７】
無機半導体が金属硫化物及び／又は金属セレン化物であることを特徴とする請求項６に記載の薄膜太陽電池の製造方法。
【請求項８】
酸化物層表面に光電変換層を形成する工程において、
金属含有化合物と、硫黄含有化合物及び／又はセレン含有化合物とを含有する半導体形成用塗布液を用いて薄膜状の金属硫化物及び／又は金属セレン化物を含有する層を成膜し、前記薄膜状の金属硫化物及び／又は金属セレン化物を含有する層の上に薄膜状の有機半導体を含有する層を成膜する
ことを特徴とする請求項７に記載の薄膜太陽電池の製造方法。
【発明の詳細な説明】
【技術分野】
【０００１】
本発明は酸化物ナノ粒子の分散性に優れ、塗工することによって優れたナノ構造を形成することが可能な酸化物ナノ粒子分散液、及び薄膜太陽電池の製造方法に関する。
【背景技術】
【０００２】
従来から、半導体からなる層を複数種積層し、この積層体の両側に電極を設けた光電変換素子が開発されている。また、このような積層体の代わりに、複数種の半導体を混合して複合化した複合膜を用いることも検討されている。このような光電変換素子では、各半導体がＰ型半導体又はＮ型半導体として働き、光励起によりＰ型半導体又はＮ型半導体で光キャリア（電子−正孔対）が生成し、電子がＮ型半導体を、正孔がＰ型半導体を移動することで、電界が生じる。
【０００３】
現在、実用化されている光電変換素子の多くは、シリコン等の無機半導体を用いて製造される無機太陽電池である。しかしながら、無機太陽電池は製造にコストがかかるうえ大型化が困難であり、形状追従性も低いこと等から利用範囲が限られてしまうことがあり、無機半導体の代わりに有機半導体を用いて製造される有機太陽電池（例えば、特許文献１、２）が考案された。
【０００４】
有機太陽電池においては、陰極と、Ｎ型半導体及びＰ型半導体を含有する光電変換層との間に電子輸送層を設けることが多く、電子輸送層の材料としては、光伝導性に優れた酸化チタン等の酸化物が多用されている。例えば、特許文献３には、透明電極層上に酸化物半導体層、有機半導体を含有する層、導電性ポリマー層及び集電極層が順に形成され、酸化物半導体層がアモルファス酸化チタン層である有機薄膜太陽電池が記載されている。また、特許文献４には、少なくとも、正極、有機光電変換層、金属酸化物層、及び鉄よりも貴な金属を含む負極をこの順序で含む有機発電積層体が記載されており、金属酸化物層の金属酸化物として、酸化チタン、酸化亜鉛等が好ましいことが記載されている。
上記酸化物層の作製方法としては、スパッタ等の乾式法が挙げられる。しかしながら、スパッタ等の乾式法は、無機太陽電池の製造と同様にコストがかかるうえ大面積の膜形成が困難であるという問題点があった。
【先行技術文献】
【特許文献】
【０００５】
【特許文献１】特開２００６−３４４７９４号公報
【特許文献２】特許第４１２０３６２号公報
【特許文献３】特開２００９−１４６９８１号公報
【特許文献４】国際公開第１１／１５８８７４号パンフレット
【発明の概要】
【発明が解決しようとする課題】
【０００６】
本発明は酸化物ナノ粒子の分散性に優れ、塗工することによって優れたナノ構造を形成することが可能な薄膜太陽電池に用いられる酸化物ナノ粒子分散液、及び薄膜太陽電池の製造方法を提供することを目的とする。
以下、本発明を詳述する。
【課題を解決するための手段】
【０００７】
本発明は、薄膜太陽電池の電子輸送層を形成するために用いられる酸化物ナノ粒子分散液であって、酸化物ナノ粒子と、多価アルコールと、を含むことを特徴とする酸化物ナノ粒子分散液である。
【０００８】
本発明の酸化物ナノ粒子分散液は、薄膜太陽電池の電子輸送層を形成するために用いられる。本発明の酸化物ナノ粒子分散液を基板又は薄膜上に塗布し、塗布した酸化物ナノ粒子分散液を焼成することにより、電子輸送層としての酸化物層を形成することができる。なお、形成された酸化物層表面に光電変換層を形成する工程等を更に行うことで、薄膜太陽電池を製造することができる。
このような酸化物層の作製方法は、スパッタ等の乾式法に比べて、簡易であり、比表面積及び界面面積の大きい多孔質構造（ナノ構造）を形成できるため、薄膜太陽電池の電流値を増加させることができる。このため薄膜太陽電池の光電変換効率が高くなる。また、この方法を用いると酸化物ナノ粒子の種類や粒子径、酸化物ナノ粒子を分散させる溶媒の種類、又は、有機バインダー等の添加物を変えることができるため、酸化物ナノ粒子の凝集を抑え、酸化物層のナノ構造を制御することが可能になる。
【０００９】
本発明の酸化物ナノ粒子分散液は酸化物ナノ粒子と、多価アルコールと、を含むものであり、結晶性の酸化物ナノ粒子を多価アルコール中に分散させたものである。
上記酸化物ナノ粒子を構成する酸化物は特に限定されず、チタン、亜鉛、スズ、ニオブ、タンタル、アルミニウム等の元素を含む酸化物、チタン酸ストロンチウム、チタン酸バリウム、チタン酸カルシウム、亜鉛スズ酸化物等の複合酸化物が挙げられる。また、これら酸化物は単独で用いられてもよいし、２種類以上を併用してもよい。更に、これら酸化物には上記元素やそれ以外の金属をドーピングしてもよい。酸化物のなかでもチタンを含む酸化物（酸化チタン）が好ましい。
【００１０】
上記酸化物ナノ粒子の平均粒子径は好ましい下限が１ｎｍ、好ましい上限が１００ｎｍであり、より好ましい下限が５ｎｍ、より好ましい上限が６０ｎｍである。上記範囲内にすることによって、得られる酸化物層が充分な比表面積を持ち、薄膜太陽電池を構成した際に短絡する等の不良を防ぐことができる。また、平均粒子径の異なる２種類以上の酸化物ナノ粒子を混合してもよい。
【００１１】
本発明の酸化物ナノ粒子分散液において、酸化物ナノ粒子の含有量の好ましい下限は１重量％、好ましい上限が５０重量％であり、より好ましい下限が２重量％、より好ましい上限が４０重量％である。上記範囲内の含有量にすることによって、充分な成膜性が得られ、酸化物ナノ粒子の凝集や他の成分の析出等が起こることを防ぐことができる。
【００１２】
本発明の酸化物ナノ粒子分散液は多価アルコールを含有する。多価アルコールを用いることにより、酸化物ナノ粒子の分散性を良好にして凝集を抑え、酸化物層のナノ構造を制御することができ、薄膜太陽電池の光電変換効率を高めることができる。
多価アルコールは、１分子中に２以上のアルコール性水酸基を有する化合物であればよいが、炭素数が４以上であることが好ましく、炭素数が１０未満であることがより好ましい。炭素数が４以上であると、多価アルコールの極性が低下するため、酸化物層のナノ構造が制御しやすくなる。炭素数が１０未満であれば、多価アルコールが室温で液体であるため、酸化物ナノ粒子分散液が成膜性に優れる。より好ましい炭素数の下限は５である。また、多価アルコール中における水酸基に結合した炭素から、他方の水酸基に結合した炭素までの炭素間距離は、４〜６が好ましい。炭素間距離が４以上であると、多価アルコールの極性が低下するため、酸化物層のナノ構造を制御しやすくなる。炭素間距離が６以下であると、多価アルコールが室温で液体となりやすい。ナノ構造の制御の容易さや多価アルコールが室温で液体となる観点から、多価アルコールは枝分かれ構造を有していることが好ましい。
【００１３】
上記多価アルコールは、沸点が１００〜３００℃であることが好ましい。沸点が１００℃以上であれば、酸化物ナノ粒子分散液が塗工中に乾燥することなく、連続印刷性が向上する。沸点が３００℃以下であれば、酸化物ナノ粒子分散液の乾燥工程において乾燥性が向上する。
【００１４】
上記多価アルコールとしては、例えば、ジオール、トリオール等が挙げられる。ジオールとしては例えば、エチレングリコール、１，３−プロパンジオール、１，４−ブタンジオール、２，３−ブタンジオール、１，３−ブタンジオール、１−メチルプロパンジオール、１，５−ペンタンジオール、２，４−ペンタンジオール、１，４−ペンタンジオール、３，４−ペンタンジオール、１，２−ペンタンジオール、２，４−ジエチル−１，５−ペンタンジオール、１，６−ヘキサンジオール、１−メチルペンタンジオール、１，４−ヘキサンジオール、１，３−ヘキサンジオール、１，２−ヘキサンジオール、２，５−ヘキサンジオール、２，４−ヘキサンジオール、２，３−ヘキサンジオール、３，４−ヘキサンジオール、１，７−ヘプタンジオール、１，６−ヘプタンジオール、１，５−ヘプタンジオール、１，４−ヘプタンジオール、１，３−ヘプタンジオール、１，２−ヘプタンジオール、２，６−ヘプタンジオール、２，５−ヘプタンジオール、２，４−ヘプタンジオール、２，３−ヘプタンジオール、３，５−ヘプタンジオール、３，４−ヘプタンジオール、１，８−オクタンジオール、１，７−オクタンジオール、１，６−オクタンジオール、１，５−オクタンジオール、１，４−オクタンジオール、１，３−オクタンジオール、１，２−オクタンジオール、２，７−オクタンジオール、２，６−オクタンジオール、２，５−オクタンジオール、２，４−オクタンジオール、２，３−オクタンジオール、３，６−オクタンジオール、３，５−オクタンジオール、３，４−オクタンジオール、３−メチル−１，５−ペンタンジオール、３−エチル−１，５−ペンタンジオール、２−エチル−１，３−ヘキサンジオール、３−メチル−ペンタンジオール、３−メチル−１，３−ブタンジオール、ジエチレングリコール、ジプロピレングリコール、４−（ヒドロキシメチル）シクロヘキサノール、１，４−シクロヘキサンジメタノール等が挙げられる。トリオールとしては例えば、１，２，３−プロパントリオール、１，２，４−ブタントリオール等が挙げられる。これら多価アルコールは単独で用いられてもよいし、２種以上を併用してもよい。また、多価アルコールのなかでもジオールが好ましい。ジオールを用いると、より酸化物ナノ粒子の分散性が良くなり、酸化物ナノ粒子分散液の成膜性が向上する。ジオールのなかでも２，４−ジエチル−１，５−ペンタンジオール、２−エチル−１，３−ヘキサンジオール、１，３−ブタンジオールがより好ましい。
【００１５】
上記多価アルコールの含有量は特に限定されないが、好ましい下限が１重量％、好ましい上限が８０重量％である。多価アルコールの含有量が上記範囲内にあることで、酸化物層のナノ構造に好影響を与え、光電変換効率が向上する。多価アルコールの含有量の更に好ましい下限が５重量％、更に好ましい上限が７０重量％である。
【００１６】
本発明の酸化物ナノ粒子分散液は、粘度を最適化するために、酸化物ナノ粒子の分散性を損なわない程度に上記多価アルコール以外の溶媒を副溶媒として含有してもよい。副溶媒としては特に限定されないが、メタノール、エタノール、プロパノール等の低級アルコール等の有機溶媒や水が挙げられる。
上記副溶媒の含有量は特に限定されないが、本発明の酸化物ナノ粒子分散液における好ましい下限が３重量％、好ましい上限が９０重量％である。副溶媒の含有量が上記範囲内にあることで、酸化物ナノ粒子の分散性を良好にしつつ酸化物ナノ粒子分散液の粘度が低下し塗工性が向上する。副溶媒の含有量の更に好ましい下限は１０重量％、更に好ましい上限は８０重量％である。また、多価アルコールと副溶媒との重量比は特に限定されないが、多価アルコール／副溶媒の値（重量比）は０．１〜３０が好ましく、０．２〜１０がより好ましい。
【００１７】
本発明の酸化物ナノ粒子分散液は、更に、有機バインダー等の添加物を含有してもよい。有機バインダーは特に限定されず、例えば、エチルセルロース、（メタ）アクリル樹脂等が挙げられる。ただし、本発明の酸化物ナノ粒子分散液は有機バインダーを含有しなくてもよく、有機バインダーを含有しない場合であっても酸化物ナノ粒子の分散性に優れる。
【００１８】
本発明の酸化物ナノ粒子分散液を基板又は薄膜上に塗布する工程と、前記基板又は薄膜上に塗布した酸化物ナノ粒子分散液を焼成して、酸化物層を形成する工程と、前記酸化物層表面に光電変換層を形成する工程と、を含む薄膜太陽電池の製造方法もまた、本発明の１つである。
【００１９】
本発明の酸化物ナノ粒子分散液を基板又は薄膜上に塗布する方法は特に限定されず、例えば、スピンコート法、スクリーン印刷法等の従来公知の塗布方法が挙げられる。
上記基板又は薄膜としては、基板上に陰極が形成されている薄膜や、基板上に陰極が形成され、更に酸化チタン等の酸化物からなるバッファ層が形成されている薄膜が好ましい。なお、このようなバッファ層と、本発明の酸化物ナノ粒子分散液を用いて形成した酸化物層との両方を合わせて電子輸送層とみなすこともできる。上記基板は特に限定されず、例えば、ソーダライムガラス、無アルカリガラス等の透明ガラス基板、セラミック基板、透明プラスチック基板、金属基板等が挙げられる。
上記陰極の材料は特に限定されず、従来公知の材料を用いることができるが、例えば、ナトリウム、ナトリウム−カリウム合金、リチウム、マグネシウム、アルミニウム、マグネシウム−銀混合物、マグネシウム−インジウム混合物、アルミニウム−リチウム合金、Ａｌ／Ａｌ２Ｏ３混合物、Ａｌ／ＬｉＦ混合物、ＳｎＯ２、ＦＴＯ（フッ素ドープ酸化スズ）、ＡＺＯ（アルミニウムドープ酸化亜鉛）、ＩＺＯ（インジウムドープ酸化亜鉛）、ＧＺＯ（ガリウムドープ酸化亜鉛）、ＩＴＯ（インジウムスズ酸化物）等が挙げられる。これらの材料は単独で用いられてもよく、２種以上が併用されてもよい。
【００２０】
本発明酸化物ナノ粒子分散液を塗布した塗膜の膜厚は好ましい下限が１０ｎｍ、好ましい上限が１０００ｎｍである。膜厚が１０ｎｍ以上であると、酸化物ナノ粒子分散液の成膜性が向上し、薄膜太陽電池を作製した際に陰極と陽極とが導通する等の不具合が起きる可能性が抑制される。膜厚が１０００ｎｍ以下であると、酸化物層の抵抗値が抑えられ光電変換効率が向上する。
【００２１】
上記塗布した酸化物ナノ粒子分散液の焼成温度は好ましい下限が１００℃、好ましい上限は６５０℃である。焼成温度が１００℃以上であると、多価アルコール等の溶媒が残存する又は酸化物ナノ粒子のネッキングが不足する等して酸化物層の抵抗値が上がることがない。焼成温度が６５０℃以下であれば、ガラス基板の耐熱温度内で焼成を行えるため薄膜太陽電池作製工程に適当である。
【００２２】
上記光電変換層は、特に限定されず、Ｎ型半導体及びＰ型半導体は、それぞれ、有機半導体であってもよいし、金属硫化物、金属セレン化物、金属酸化物等の無機半導体であってもよいが、無機半導体及び有機半導体を含むことが好ましい。無機半導体のなかでも金属硫化物及び／又は金属セレン化物が好ましい。
なかでも、上記光電変換層は、薄膜太陽電池の耐久性が高くなることから、金属硫化物及び／又は金属セレン化物を含有する層を含むことが好ましい。更に、金属硫化物及び／又は金属セレン化物を含有する層（以下、硫化物／セレン化物層ともいう）と、有機半導体を含有する層（以下、有機半導体層ともいう）とを含むことがより好ましい。このような光電変換層においては、上記硫化物／セレン化物層が主にＮ型半導体として、上記有機半導体層が主にＰ型半導体として働くと推測されるが、上記硫化物／セレン化物層は、部分的にはＰ型半導体として働いていてもよいし、上記有機半導体層は、部分的にはＮ型半導体として働いていてもよい。また、このような光電変換層は、薄膜状の上記硫化物／セレン化物層と薄膜状の上記有機半導体層とを積層した積層体であってもよいし、上記硫化物／セレン化物層と上記有機半導体層とを混合して複合化した複合膜であってもよいが、有機半導体の電荷分離効率を向上させることができるため、複合膜であることがより好ましい。また、上記金属硫化物と金属セレン化物とを併用してもよい。
【００２３】
上記硫化物／セレン化物層中の金属硫化物及び／又は金属セレン化物に含まれる金属として、例えば、アンチモン、ビスマス、ヒ素等の周期表１５族元素、カドミウム、錫、インジウム、亜鉛、鉄、鉛等が挙げられる。なかでも、アンチモンが好ましい。硫化アンチモン及びセレン化アンチモンは、有機半導体とのエネルギー準位の相性がよく、かつ、従来の酸化亜鉛、酸化チタン等より可視光に対する吸収が大きい。このため、上記金属硫化物及び／又は金属セレン化物が硫化アンチモン及び／又はセレン化アンチモンであることにより、薄膜太陽電池の光電変換効率が高くなる。これらの金属硫化物及び／又は金属セレン化物に含まれる金属は単独で用いられてもよく、２種以上が併用されてもよい。
上記金属硫化物及び／又は金属セレン化物は、２種以上の元素を同一の分子に含有する複合化合物であってもよい。
また、上記金属硫化物及び／又は金属セレン化物は一部が酸素によって酸化されていてもよいが、不純物となり得ることからできる限り酸化されていないものがよい。
【００２４】
上記硫化物／セレン化物層は、本発明の効果を阻害しない範囲内であれば、上述したような主成分となる金属に加えて他の元素を含有していてもよい。上記他の元素は特に限定されないが、具体的には例えば、インジウム、ガリウム、スズ、カドミウム、銅、亜鉛、アルミニウム、ニッケル、銀、チタン、バナジウム、ニオブ、モリブデン、タンタル、鉄、コバルト、ランタン等が挙げられる。これらの他の元素は単独で用いられてもよく、２種以上が併用されてもよい。なかでも、電子の移動度が高くなることから、インジウム、ガリウム、スズ、カドミウム、亜鉛、銅、ランタンが好ましい。
【００２５】
上記他の元素の含有量は、上記硫化物／セレン化物層中の好ましい上限が５０重量％である。上記含有量が５０重量％以下であれば、主成分となる金属硫化物及び／又は金属セレン化物の結晶性が損なわれることなく、光電変換効率が低下しない。
【００２６】
上記硫化物／セレン化物層は、結晶性半導体であることが好ましい。上記硫化物／セレン化物層が結晶性半導体であることにより、電子の移動度が高くなり、光電変換効率が高くなる。
なお、結晶性半導体とは、Ｘ線回折測定等で測定し、散乱ピークが検出できる半導体を意味する。
【００２７】
また、上記硫化物／セレン化物層の結晶性の指標として、結晶化度を用いることもできる。上記硫化物／セレン化物層の結晶化度は、好ましい下限が３０％である。上記結晶化度が３０％以上であると、電子の移動度が向上し、光電変換効率が向上する。上記結晶化度のより好ましい下限は５０％、更に好ましい下限は７０％である。
なお、結晶化度は、Ｘ線回折測定等により検出された結晶質由来の散乱ピークと、非晶質部由来のハローとをフィッティングにより分離し、それぞれの強度積分を求めて、全体のうちの結晶質部分の比を算出することにより求めることができる。
【００２８】
上記硫化物／セレン化物層の結晶化度を高める方法として、例えば、硫化物／セレン化物層に対して、熱アニール、レーザー又はフラッシュランプ等の強度の強い光の照射、エキシマ光照射、プラズマ照射等を行う方法が挙げられる。なかでも、上記金属硫化物及び／又は金属セレン化物の酸化を低減できることから、強度の強い光の照射、プラズマ照射等を行う方法が好ましい。
【００２９】
上記有機半導体層を構成する有機半導体は低分子化合物であってもよいし、オリゴマー又はポリマーであってもよい。上記有機半導体の骨格は特に限定されず、上記有機半導体として、例えば、スピロビフルオレン骨格、チオフェン骨格、パラフェニレンビニレン骨格、ビニルカルバゾール骨格、アニリン骨格、ポリアセチレン骨格、フタロシアニン骨格、ナフタロシアニン骨格、ペンタセン骨格、ポルフィリン骨格のいずれかを有する導電性材料が挙げられる。なかでも、比較的耐久性の高いＰ型半導体となることから、スピロビフルオレン骨格、チオフェン骨格、フタロシアニン骨格、ナフタロシアニン骨格、ベンゾポルフィリン骨格のいずれかを有する導電性材料が好ましい。
また、上記有機半導体層はリチウム等のドーパントを含有していてもよい。
上記有機半導体層は、上記有機半導体を溶媒に溶解させて塗布する方法又は蒸着等の乾式の方法等によって積層させることが可能である。
【００３０】
上記光電変換層を形成する方法は特に限定されず、真空蒸着法、スパッタ法、気相反応法（ＣＶＤ）、電気化学沈積法等であってもよいが、金属含有化合物と、硫黄含有化合物及び／又はセレン含有化合物とを含有する半導体形成用塗布液を用いた印刷法が好ましい。
より具体的には、例えば、上記光電変換層が薄膜状の上記硫化物／セレン化物層と薄膜状の上記有機半導体層とを積層した積層体である場合には、上記半導体形成用塗布液を用いてスピンコート法等の印刷法により薄膜状の金属硫化物及び／又は金属セレン化物を含有する層（硫化物／セレン化物層）を成膜し、この薄膜状の硫化物／セレン化物層の上にスピンコート法等の印刷法により薄膜状の有機半導体を含有する層（有機半導体層）を成膜することが好ましい。
また、例えば、上記光電変換層が上記硫化物／セレン化物層と上記有機半導体層とを混合して複合化した複合膜である場合には、上記半導体形成用塗布液と有機半導体とを混合した混合液を用いてスピンコート法等の印刷法により複合膜を成膜することも可能である。
【００３１】
なお、上記硫化物／セレン化物層は、上記金属硫化物を含有する層と上記金属セレン化物を含有する層とが積層されたものであってもよく、この場合、例えば、薄膜状の金属硫化物を含有する層を成膜した後、この薄膜状の金属硫化物を含有する層の上に薄膜状の金属セレン化物を含有する層を成膜すればよい。
【００３２】
本発明の薄膜太陽電池の製造方法では、次いで、上記光電変換層表面にホール輸送層を形成する工程を行ってもよい。上記ホール輸送層の材料は特に限定されず、例えば、Ｐ型導電性高分子、Ｐ型低分子有機半導体、Ｐ型金属酸化物、Ｐ型金属硫化物、界面活性剤等が挙げられ、具体的には例えば、ポリエチレンジオキシチオフェンのポリスチレンスルホン酸付加物、カルボキシル基含有ポリチオフェン、フタロシアニン、ポルフィリン、酸化モリブデン、酸化バナジウム、酸化タングステン、酸化ニッケル、酸化銅、酸化スズ、硫化モリブデン、硫化タングステン、硫化銅、硫化スズ等、フルオロ基含有ホスホン酸、カルボニル基含有ホスホン酸等が挙げられる。
【００３３】
本発明の薄膜太陽電池の製造方法では、上記光電変換層表面又は必要に応じて形成された上記ホール輸送層表面に陽極を形成する工程を行うことが好ましい。上記陽極の材料は特に限定されず、従来公知の材料を用いることができるが、例えば、金等の金属、ＣｕＩ、ＩＴＯ、ＳｎＯ２、ＡＺＯ、ＩＺＯ、ＧＺＯ等の導電性透明材料、導電性透明ポリマー等が挙げられる。これらの材料は単独で用いられてもよく、２種以上が併用されてもよい。
【発明の効果】
【００３４】
本発明によれば、酸化物ナノ粒子の分散性に優れ、塗工することによって優れたナノ構造を形成することが可能な酸化物ナノ粒子分散液、及び、当該酸化物ナノ粒子分散液を用いた高光電変換効率な薄膜太陽電池の製造方法を提供することが可能である。
【発明を実施するための形態】
【００３５】
以下に本発明の酸化物ナノ粒子分散液を用いて作製した薄膜太陽電池に関する実施例を挙げて本発明を更に詳しく説明するが、本発明はこれら実施例のみに限定されない。
【００３６】
（実施例１）
＜陰極＞
ガラス基板上に、陰極として厚み１０００ｎｍのＦＴＯ膜を形成し、純水、アセトン、メタノールをこの順に用いて各１０分間超音波洗浄した後、乾燥させた。
＜電子輸送層＞
ＦＴＯ膜の表面上に、電子輸送層のバッファ層として２％に調製したチタンイソプロポキシドエタノール溶液をスピンコート法により塗布した後、４００℃で１０分間焼成した。更に、多価アルコールとして２，４−ジエチル−１，５−ペンタンジオールと、副溶媒としてエタノールとをそれぞれ１：３（多価アルコール／副溶媒＝０．３５）の重量比で混合した溶媒に酸化チタン（平均粒子径１０ｎｍと３０ｎｍの混合物）を分散液全体量に対し１０重量％となるように添加及び分散させ、酸化物ナノ粒子分散液を調製した。得られた酸化物ナノ粒子分散液を、バッファ層の表面上に更にスピンコート法により積層し、４００℃で１０分間焼成することにより膜厚４００ｎｍの多孔質膜（ナノ構造膜）を得た。
＜光電変換層（積層体）、ホール輸送層＞
有機溶媒にＮ，Ｎ−ｄｉｍｅｔｈｙｌｆｏｒｍａｍｉｄｅ（ＤＭＦ）を用い、金属含有化合物として塩化アンチモン、窒素含有化合物としてチオ尿素を重量比５：４で合計重量濃度を２０重量％に調整し、半導体形成用塗布液を得た。この半導体形成用塗布液を上記の多孔質膜上にスピンコート法によって積層した。これを２６０℃で１５分間真空下にて焼成することにより赤褐色の硫化アンチモン（半導体）層を得た。更にクロロベンゼンに有機半導体としてポリ−３−ヘキシルチオフェン（Ｐ３ＨＴ、Ｍｅｒｃｋ社製）を０．５重量％溶解させた溶液を硫化アンチモン層上にスピンコート法により積層した。更にＰＥＤＯＴ：ＰＳＳをホール輸送層として積層した。
＜陽極＞
金属電極（陽極）として蒸着法により金を積層し、薄膜太陽電池を得た。
【００３７】
（実施例２）
２，４−ジエチル−１，５−ペンタンジオールの代わりに２−エチル−１，３−ヘキサンジオールを用いた以外は実施例１と同様にして薄膜太陽電池を作製した。
【００３８】
（実施例３）
２，４−ジエチル−１，５−ペンタンジオールの代わりに１，３−ブタンジオールを用いた以外は実施例１と同様にして薄膜太陽電池を作製した。
【００３９】
（実施例４）
２，４−ジエチル−１，５−ペンタンジオールの代わりに１，２，３−プロパントリオールを用いた以外は実施例１と同様にして薄膜太陽電池を作製した。
【００４０】
（実施例５）
２，４−ジエチル−１，５−ペンタンジオールの代わりに１，３−プロパンジオールを用いた以外は実施例１と同様にして薄膜太陽電池を作製した。
【００４１】
（実施例６）
硫化アンチモンの代わりに硫化カドミウムを真空蒸着法により積層した以外は実施例１と同様にして薄膜太陽電池を作製した。
【００４２】
（実施例７）
窒素含有化合物としてチオ尿素の代わりにセレノ尿素を用いることによって、硫化アンチモンの代わりにセレン化アンチモンを積層した以外は実施例１と同様にして薄膜太陽電池を作製した。
【００４３】
（実施例８）
真空蒸着法にて硫化アンチモンを積層した以外は実施例１と同様にして薄膜太陽電池を作製した。
【００４４】
（実施例９）
酸化チタン（平均粒子径１０ｎｍと３０ｎｍの混合物）の代わりに酸化チタン（平均粒子径６０ｎｍ、スーパータイタニアＦ２、昭和電工社製）を用いた以外は実施例１と同様にして薄膜太陽電池を作製した。
【００４５】
（実施例１０）
酸化チタン（平均粒子径１０ｎｍと３０ｎｍの混合物）の代わりに酸化チタン（平均粒子径９０ｎｍ、スーパータイタニアＦ１、昭和電工社製）を用いた以外は実施例１と同様にして薄膜太陽電池を作製した。
【００４６】
（実施例１１）
実施例９と同様にして硫化アンチモン層まで積層した。実施例７で用いたセレノ尿素を含有する半導体形成用塗布液を硫化アンチモン層上にスピンコート法によって積層した。これを２６０℃で１５分間真空下にて焼成することによりセレン化アンチモン（半導体）層を得た。更にクロロベンゼンに有機半導体としてポリ−３−ヘキシルチオフェン（Ｐ３ＨＴ、Ｍｅｒｃｋ社製）を０．５重量％溶解させた溶液をセレン化アンチモン層上にスピンコート法により積層した。更にＰＥＤＯＴ：ＰＳＳをホール輸送層として積層した。金属電極（陽極）として蒸着法により金を積層し、薄膜太陽電池を得た。
【００４７】
（比較例１）
２，４−ジエチル−１，５−ペンタンジオールの代わりにテルピネオールを用いた以外は実施例１と同様にして薄膜太陽電池を作製した。
【００４８】
（比較例２）
硫化アンチモンの代わりに硫化カドミウムを真空蒸着法により積層した以外は比較例１と同様にして薄膜太陽電池を作製した。
【００４９】
（比較例３）
窒素含有化合物としてチオ尿素の代わりにセレノ尿素を用いることによって、硫化アンチモンの代わりにセレン化アンチモンを積層した以外は比較例１と同様にして薄膜太陽電池を作製した。
【００５０】
（比較例４）
２，４−ジエチル−１，５−ペンタンジオールの代わりにシクロヘキサノールを用いた以外は実施例１と同様にして薄膜太陽電池を作製した。
【００５１】
（比較例５）
２，４−ジエチル−１，５−ペンタンジオールを用いず、酸化チタン１０重量％エタノール分散液を用いて膜厚４００ｎｍの多孔質膜（ナノ構造膜）を得た以外は実施例１と同様にして薄膜太陽電池を作製した。
【００５２】
＜評価＞
実施例及び比較例で得られた薄膜太陽電池について、以下の評価を行った。結果を表１及び２に示した。
【００５３】
＜光電変換効率の測定＞
薄膜太陽電池の電極間に、電源（ＫＥＹＴＨＬＥＹ社製、２３６モデル）を接続し、１００ｍＷ／ｃｍ２の強度のソーラーシミュレータ（山下電装社製）を用いて光電変換効率を測定した。なお、比較例１で得られた薄膜太陽電池の光電変換効率を１．０として規格化した。
◎：規格化変換効率が１．３以上
○：規格化変換効率が１．１以上１．３未満
△：規格化変換効率が０．８以上１．１未満
×：規格化変換効率が０．８未満
【００５４】
【表１】
2015201510.tif 000002
【００５５】
【表２】
2015201510.tif 000003
【産業上の利用可能性】
【００５６】
本発明によれば、酸化物ナノ粒子の分散性に優れ、塗工することによって優れたナノ構造を形成することが可能な酸化物ナノ粒子分散液、及び当該酸化物ナノ粒子分散液を用いた高光電変換効率な薄膜太陽電池の製造方法を提供することが可能である。